(57)【要約】【課題】  養生枠や養生床を容易かつ迅速に形成することが可能な開口部養生装置を提供する。【解決手段】    開口部養生装置１５は、相互に平行に配置される一対の第一梁１７と第一梁１７を相互に連結するとともに相互に平行に配置される一対の第二梁１８とにより構成され、建物の開口部を取り囲むようにして配置される方形枠１６を有している。第一梁１７には、方形枠１６の内側に倒すと開口部を覆う養生床となり、立ち上げると第一梁１７の長手方向に沿って配置される養生枠となる第一養生体２２が倒立自在に取り付けられている。第二梁１８には、方形枠１６の内側に倒すと開口部を覆う養生床となり、立ち上げると第二梁１８の長手方向に沿って配置される養生枠となる第二養生体２３が倒立自在に取り付けられている。【選択図】    図２
2006226059.tif 000002
【特許請求の範囲】
【請求項１】
相互に平行に配置される一対の第一梁と当該第一梁を相互に連結するとともに相互に平行に配置される一対の第二梁とにより構成され、建物の開口部を取り囲むようにして配置される方形枠と、
下縁部が前記第一梁のそれぞれに倒立自在に取り付けられ、前記方形枠の内側に倒すと前記開口部を覆う養生床となり、立ち上げるとそれぞれの前記第一梁に長手方向に沿って配置され養生枠となる一対の第一養生体と、
下縁部が前記第二梁のそれぞれに倒立自在に取り付けられ、前記方形枠の内側に倒すと前記開口部を覆う養生床となり、立ち上げるとそれぞれの前記第二梁に長手方向に沿って配置され養生枠となる一対の第二養生体とを有することを特徴とする開口部養生装置。
【請求項２】
請求項１記載の開口部養生装置において、前記方形枠の内側に倒された前記第一養生体は前記第二梁に当接して前記第二梁に支持され、前記方形枠の内側に前記第一養生体を倒した後、前記方形枠の内側に前記第二養生体を倒すことにより、前記方形枠の内側に倒された前記第二養生体は前記第一養生体に上側から当接して前記第一養生体に支持されることを特徴とする開口部養生装置。
【請求項３】
請求項１又は２記載の開口部養生装置において、前記第二養生体の下縁部を前記第二梁に設けられる高さ位置調節部材に倒立自在に取り付けることにより、前記第二養生体の取付け位置を前記第一養生体の取付け位置よりも高くすることを特徴とする開口部養生装置。
【請求項４】
請求項１〜３のいずれか１項に記載の開口部養生装置において、前記第一養生体と前記第二養生体のそれぞれには、前記養生床となった状態でねじり変形し前記養生枠となった状態で前記ねじり変形に伴う弾性力が解放されるように一端部が前記方形枠に取り付けられるトーションバーの他端部が取り付けられることを特徴とする開口部養生装置。
【発明の詳細な説明】
【技術分野】
【０００１】
本発明は建物の開口部に用いられて有用な開口部養生装置に関する。
【背景技術】
【０００２】
建物にエレベータや階段を設置する際には上層階側の床に開口部が設けられる。この開口部は、建物の建築中には、異なる階層への建築資材や建築機材の搬入搬出口として利用されることがあり、搬入搬出に際してはクレーンやウインチなどの昇降手段が用いられる。
【０００３】
このような開口部からの転落を防止するための安全対策として、開口部を取り囲むように手摺枠としての養生枠を取り付けることがある。養生枠を取り付けるための従来技術として、特許文献１には、キャスターを備えることにより移動を容易とした養生枠が開示されている。
【０００４】
建築資材などの搬入搬出作業を行わない場合や開口部近傍での建築作業を行う場合には、現場作業員が乗り込むことができる足場となる養生床を開口部に仮設することがある。養生床を仮設するための従来技術として、特許文献２には、伸縮支持梁を備える作業台をウインチなどの昇降手段を用いて所定の階数まで持ち上げ、次いで伸縮支持梁を外側に伸ばして開口部の縁部に掛け渡すことにより、所定の階数の開口部に作業台を養生床として仮設する技術が開示されている。また、特許文献３には、開口部の内周面から突出した状態で複数の係止部片を設け、これらの係止部片に係合する切り欠きが形成された養生床を開口部に掛け留めるようにした技術が開示されている。
【特許文献１】特開平０９−１５８２２９号公報
【特許文献２】特開平０６−１２９０８９号公報
【特許文献３】特開平０５−２２２８４４号公報
【発明の開示】
【発明が解決しようとする課題】
【０００５】
養生枠や養生床の取付け取外し作業は施工計画や建築作業の進捗状況などに応じて行われる。これらの作業を容易かつ迅速に行うことができれば、建築作業の効率化につながり工期の短縮が図れる。この点、特許文献１に開示される技術によると、養生床を取り付けるために養生枠を取り外す際には、キャスターが下側となるように養生枠を側方に倒さなければならず、養生枠が大型である場合には容易かつ迅速に撤去することが困難である。また、開口部の周囲に養生枠を取り付けて開口部を資材の搬入口として利用する際には、特許文献２及び３に開示される技術によると、新たに養生枠となる部材を用意するとともに、開口部から養生床を取り外した後、新たに養生枠を取り付ける必要があり効率的とは言えない。
【０００６】
本発明の目的は養生枠や養生床を容易かつ迅速に形成することが可能な開口部養生装置を提供することにある。
【課題を解決するための手段】
【０００７】
本発明の開口部養生装置は、相互に平行に配置される一対の第一梁と当該第一梁を相互に連結するとともに相互に平行に配置される一対の第二梁とにより構成され、建物の開口部を取り囲むようにして配置される方形枠と、下縁部が前記第一梁のそれぞれに倒立自在に取り付けられ、前記方形枠の内側に倒すと前記開口部を覆う養生床となり、立ち上げるとそれぞれの前記第一梁に長手方向に沿って配置され養生枠となる一対の第一養生体と、下縁部が前記第二梁のそれぞれに倒立自在に取り付けられ、前記方形枠の内側に倒すと前記開口部を覆う養生床となり、立ち上げるとそれぞれの前記第二梁に長手方向に沿って配置され養生枠となる一対の第二養生体とを有することを特徴とする。
【０００８】
本発明の開口部養生装置は、前記方形枠の内側に倒された前記第一養生体は前記第二梁に当接して前記第二梁に支持され、前記方形枠の内側に前記第一養生体を倒した後、前記方形枠の内側に前記第二養生体を倒すことにより、前記方形枠の内側に倒された前記第二養生体は前記第一養生体に上側から当接して前記第一養生体に支持されることを特徴とする。
【０００９】
本発明の開口部養生装置は、前記第二養生体の下縁部を前記第二梁に設けられる高さ位置調節部材に倒立自在に取り付けることにより、前記第二養生体の取付け位置を前記第一養生体の取付け位置よりも高くすることを特徴とする。
【００１０】
本発明の開口部養生装置は、前記第一養生体と前記第二養生体のそれぞれには、前記養生床となった状態でねじり変形し前記養生枠となった状態で前記ねじり変形に伴う弾性力が解放されるように一端部が前記方形枠に取り付けられるトーションバーの他端部が取り付けられることを特徴とする。
【発明の効果】
【００１１】
本発明によれば、養生体を立ち上げることにより養生枠を形成することができ、養生体を方形枠の内側に倒すことにより養生床を形成することができ、養生枠と養生床とを容易かつ迅速に形成することが可能である。養生枠と養生床のいずれを形成する場合においても、これらの養生枠を支える土台となる方形枠は建物の開口部を取り囲むようにして配置したままであり、現場作業員の作業負担が小さい。
【００１２】
本発明によれば、第一養生体と第二養生体とを高さ方向にずらして配置することにより、それぞれの養生体を方形枠の内側に倒したとき、ほぼ水平の養生床を形成することができる。トーションバーを取り付けることにより、養生体を容易に立ち上げることができる。クレーンなどの昇降手段を用いて異なる階層に運搬することができる。
【発明を実施するための最良の形態】
【００１３】
以下、本発明の実施の形態を図面に基づいて詳細に説明する。
【００１４】
図１は建造中の建物の開口部に本発明の一実施の形態である開口部養生装置を取り付けた状態を示す一部断面図である。図１にはマンションやオフィスビルなどの建造中の建物１０の各フロア１０ａ〜１０ｄが示されており、例えば、フロア１０ａが３階に相当するときフロア１０ｄが６階に相当する。各フロア１０ａ〜１０ｄは鉄筋コンクリート製の床スラブ１１により形成されており、このうち、フロア１０ｃ，１０ｄの床スラブ１１には、コンクリートを打設するための型枠１２が支持部材１３を用いて取り付けられている。現場作業員は各フロア１０ａ〜１０ｄで種々の建築作業を行う。
【００１５】
それぞれのフロア１０ａ〜１０ｄには、例えばエレベータを設置するための開口部１４が上下方向に貫通して形成されており、これらの開口部１４は、建物の建築中には、異なる階層への建築資材や建築機材の搬入搬出口として利用することができる。このような開口部１４からの転落を防止するための安全対策として、フロア１０ｃの開口部１４には本発明の一実施の形態である開口部養生装置１５が取り付けられている。なお、図示しないが、他のフロア１０ａ，１０ｂ，１０ｄの開口部１４にも開口部養生装置１５を取り付けられることは言うまでもない。
【００１６】
図２は本発明の一実施の形態である開口部養生装置の外観構成を示す斜視図であり、特に、養生枠を形成した状態を示す。開口部養生装置１５は、建物の開口部１４を取り囲むようにして配置される方形枠１６を有しており、図１に示す場合には、コンクリート打設作業の妨げとならないように、方形枠１６は型枠１２の上に配置されているが、これに限られることなく、例えば、床スラブ１１上に配置することもできる。
【００１７】
図３は一実施の形態である第一梁及び第二梁を示す拡大斜視図である。この方形枠１６は、相互に平行に配置される一対の第一梁１７と、これらの第一梁１７を相互に連結するとともに相互に平行に配置される一対の第二梁１８とを備えている。第一梁１７及び第二梁１８のそれぞれは垂直部１７ａ，１８ａと水平部１７ｂ，１８ｂとを有する断面Ｌ字状の鋼材により形成されており、図２に示すように、第一梁１７及び第二梁１８のそれぞれは、水平部１７ｂ，１８ｂ同士が相互に対向して配置される向きに配置される。これらの第一梁１７及び第二梁１８のそれぞれの両端部には固定孔１９ａが形成された連結部材１９が固定されており、相互に隣り合って配置される連結部材１９同士を突き合わせて固定孔１９ａに図示しないボルトなどの固定具を装着することにより、第一梁１７と第二梁１８とをそれぞれの両端部で直角に固定することができる。これらの第一梁１７及び第二梁１８の長さは、開口部１４を取り囲むことができる長さに設定される。よって、図示する形態に係わらず、第二梁１８よりも第一梁１７が長尺であっても良く、同一の長さとして正方形状の方形枠を形成しても良い。なお、第一梁１７及び第二梁１８のそれぞれは、溶接など他の固定手段により固定しても良い。
【００１８】
上述の通り、方形枠１６は開口部１４を取り囲むようにして配置されるが、開口部養生装置１５が使用中に水平方向にずれるのを防止するために、図１に示すように方形枠１６の内側にずれ止め防止部材２０を設けることができる。図示する場合には、ずれ止め防止部材２０として棒状の部材が第一梁１７及び第二梁１８のそれぞれに２本ずつ配置されており、それぞれのずれ止め防止部材２０は水平部１７ｂ，１８ｂの底面から下向きに突出するように固定されている。これらのずれ止め防止部材２０が設けられた開口部養生装置１５を、ずれ止め防止部材２０が開口部１４に挿入されるように開口部１４に取り付けることによって、ずれ止め防止部材２０のいずれかが開口部１４の内周面に接触することにより、開口部養生装置１５が水平方向にずれるのを防ぐことができる。
【００１９】
また、方形枠１６の外側、つまり垂直部１７ａ，１８ａの外周面には外方に伸びる支持腕２１を設けることができる。支持腕２１を設けることにより方形枠１６をより安定した状態で開口部１４に取り付けることができ、開口部１４への落下を防止することができる。支持腕２１に貫通孔を形成し、アンカーボルトを装着することにより、開口部養生装置１５を型枠１２などの基礎に対して緊結させても良い。
【００２０】
図２に示すように、第一梁１７の長手方向に沿って第一養生体２２が配置されており、第二梁１８の長手方向に沿って第二養生体２３が配置されている。第一養生体２２及び第二養生体２３のそれぞれは、複数の縦材２４ａ，２５ａと横材２４ｂ，２５ｂとを格子状に組み合わせて形成される枠体２４，２５に対してエキスパンドメタル２６，２７を張り付けることにより形成される。なお、図示しないが、第一梁１７及び第二梁１８のそれぞれに取り付けられる養生体を板状の部材により形成しても良い。
【００２１】
第一養生体２２の下縁部には、所定の間隔おきに第一梁１７の水平部１７ｂに取り付けられるヒンジ金具２８が取り付けられており、第一養生体２２は第一梁１７に対して回転自在、つまり倒立自在となっている。この第一養生体２２は、第一梁１７よりも長手方向に長く、方形枠１６の内側に倒したとき両端の縦材２４ａが第二梁１８の水平部１８ｂに当接する長さに設定されている。一方、第二養生体２３の下縁部には所定の間隔おきに第二梁１８の水平部１８ｂに設けられる高さ位置調節部材２９に取り付けられるヒンジ金具３０が取り付けられており、第二養生体２３は第二梁１８に対して回転自在、つまり倒立自在となっている。第二養生体２３を高さ位置調節部材２９に倒立自在に取り付けることにより、第一養生体２２の取付け位置よりも高い位置に第二養生体２３が取り付けられることになる。なお、図示する場合には、高さ位置調節部材２９は所定の高さ寸法を有する直方体形状の部材であるが、第二養生体２３の取付け位置を第一養生体２２の取付け位置よりも高くすることできれば、これに限られることなく、例えば、垂直部１８ａの所定の高さ位置に突設されるプレートに取り付けるようにしても良い。
【００２２】
図４は図２に示す開口部養生装置により養生床を形成した状態を示す斜視図であり、図５（Ａ）は図２に示すＡ−Ａ線に沿う方向の断面図であり、図５（Ｂ）は図４に示すＢ−Ｂ線に沿う方向の断面図である。このような開口部養生装置１５にあっては、第一養生体２２を方形枠１６の内側に倒すと、その両端の縦材２４ａが第二梁１８の水平部１８ｂに当接することによりほぼ水平に配置され、開口部１４の一部を覆う養生床となる。そして、方形枠１６の内側に第一養生体２２を倒した後、方形枠１６の内側に第二養生体２３を倒すと、図４に示すように、第二養生体２３は上側から第一養生体２２に当接して第一養生体２２に支持されることによりほぼ水平に配置され、開口部１４の一部を覆う養生床となる。養生床の上には現場作業員が乗り込むことができ、建築資材などの搬入作業を行わない場合や開口部１４近傍での建築作業を行う場合には、開口部１４に足場となる養生床を仮設することができ、安全に作業を行うことができる。
【００２３】
また、図３に示すように、第一養生体２２と第二養生体２３のそれぞれをほぼ垂直に立ち上げることにより、第一養生体２２と第二養生体２３のそれぞれは開口部１４を取り囲む手摺枠としての養生枠となる。第一養生体２２と第二養生体２３のそれぞれに締結孔（図示省略）を形成し、それぞれの締結孔に締結ピンや締結ボルトなどの締結部材を着脱自在に装着することにより、養生体２２，２３のそれぞれをほぼ垂直に立ち上げた状態で保持することができる。
【００２４】
このように、開口部養生装置１５は、第一養生体２２及び第二養生体２３を方形枠１６の内側に倒したり立ち上げたりするだけで、養生床としても養生枠としても使用することができる。例えば、図１に示すように、フロア１０ｃの開口部１４に開口部養生装置１５を取り付けた後、第一養生体２２及び第二養生体２３のそれぞれを立ち上げることで、開口部１４の周囲を取り囲むように手摺枠としての養生枠を形成することができ、フロア１０ｃで作業する現場作業員が開口部１４から転落するのを防止することができるとともに、開口部１４を通じて異なる階層間で建築資材などの搬入搬出作業を行うことができる。開口部養生装置１５はクレーンなどの昇降手段により異なる階層に搬送することができる。図１には、クレーンなどの昇降手段に連結されるワイヤ３２により開口部養生装置１５が持ち上げられている状態も示されており、開口部養生装置１５が床スラブ１１などに衝突しないように第一養生体２２及び第二養生体２３は方形枠１６の内側に倒された状態となっている。
【００２５】
第一養生体２２と第二養生体２３のそれぞれには、養生床となった状態でねじり変形し養生枠となった状態でねじり変形に伴う弾性力が解放されるように一端部が方形枠１６に取り付けられるトーションバー３３の他端部を取り付けることができる。図５には、第二梁１８と第二養生体２３とにトーションバー３３を取り付けた状態が示されており、第二養生体２３が養生床となった状態でねじり変形し（図５（B）参照）、養生枠となった状態でねじり変形に伴う弾性力が解放されるようになっている（図５（A）参照）。これにより、倒した状態の養生体２２，２３を立ち上げる際には、トーションバー３３の弾性力が養生体２２，２３を立ち上げる方向に作用するので、現場作業員は倒した状態の養生体２２，２３を容易に立ち上げることができる。一方、養生体２２，２３を倒すときにはトーションバー３３がねじられることになり養生体２２，２３が勢い良く倒れ込むことが抑制されるので安全である。
【００２６】
上述の通り、第一梁１７及び第二梁１８のそれぞれは、開口部１４を取り囲むことができるように開口部１４の大きさに対応した長さに設定される。このとき、それぞれの養生体２２，２３の長尺方向の長さは第一梁１７及び第二梁１８のそれぞれに対応した長さに設定される。
【００２７】
図６は一実施の形態である養生体を示す拡大斜視図である。図６に示す養生体３４は主枠体３５と主枠体３５に対して往復動自在に組み付けられる副枠体３６とを有している。主枠体３５は、相互に平行に配置される複数本の中空の横材３５ｂと、これらの横材３５ｂを相互に連結する複数本の縦材３５ａとを格子状に連結して形成される。一方、副枠体３６は、それぞれの一端部が横材３５ｂの開口端部に挿入される複数本の横材３６ｂと、これら横材３６ｂの基端部及び中間部を相互に連結する複数本の縦材３６ａとを格子状に連結して形成される。そして、主枠体３５の横材３５ｂに対する副枠体３６の横材３６ｂの挿入量を調節することにより、第一梁１７及び第二梁１８のそれぞれに対応した長さの養生体３４を形成することができる。第一養生体２２や第二養生体２３としては、このような長手方向の長さを調節できる養生体３４を用いることができる。なお、主枠体３５及び副枠体３６のそれぞれにはエキスパンドメタル３７が張り渡されることになるが、縦材３５ａと縦材３６ａとの間には、横材３５ｂに対する横材３６ｂの挿入量を調節した後に張り渡されることになる。
【００２８】
上述の通り、それぞれの養生体２２，２３の長尺方向の長さは第一梁１７及び第二梁１８のそれぞれに対応した長さに設定されるが、一般に、養生枠の高さは、例えば１２００ｍｍのように一定の高さに設定されることがあるため、開口部１４の大きさによっては、開口部１４に養生床となった第一養生体２２と第二養生体２３とにより覆うことができない部分が生じることがある。
【００２９】
図７は本発明の他の実施の形態である開口部養生装置の外観構成を示す斜視図であり、特に養生枠を形成した状態を示す。図８は図７に示す開口部養生装置により養生床を形成した状態を示す斜視図である。なお、図７及び図８に示す場合には、図１〜図６に示す部材と共通する部材には同一の符合を付して重複した説明を省略する。
【００３０】
図７及び図８に示す開口部養生装置４０にあっては、第一梁４１が第一梁１７に比して長手方向に伸びており、これに対応して第一梁４１に取り付けられる第一養生体４２が第一養生体２２に比して長手方向に伸びている。一方、第二梁１８及び第二養生体２３の長手方向の寸法は開口部養生装置１５と同じである。このような開口部養生装置４０においては、第二養生体２３を方形枠１６ａの内側に倒しても、養生床となった第一養生体４２により覆われない部分の全てを第二養生体２３により覆うことができず、図示する場合には、開口部中央に養生体２３，４２により覆われない部分が生じることになる。
【００３１】
このような養生体２３，４２により覆われない部分を覆うための部材として、第二養生体２３の最上段の横材２５ｂにはヒンジ金具４３を用いて第三養生体４４が回転自在に取り付けられている。この第三養生体４４は、図８に示すように、養生床となった第一養生体４２と第二養生体２３とにより覆われない開口部１４の部分の大きさに対応した長さの縦材４５ａと横材４５ｂとを格子状に連結して形成される枠体４５にエキスパンドメタル４６を張り付けることにより形成されており、養生体２３，４２により覆われない開口部１４の部分を覆うことができる位置に取り付けられている。これにより、図８に示すように、第一養生体４２を方形枠１６の内側に倒して開口部１４の一部を覆う養生床とし、次いで、第二養生体２３を方形枠１６の内側に倒して第一養生体４２に上側から当接させて開口部１４の一部を覆う養生床とした後、図中矢印で示す方向、つまり養生体２３，４２により覆われない部分を覆う方向に第三養生体４４を展開させることにより、養生体２３，４２，４４により開口部１４の全体を覆う養生床を形成することができる。
【００３２】
一方、開口部養生装置１５を養生枠として使用する際には、第三養生体４４を図中矢印の反対方向に回転させ第二養生体２３に上側から当接させた後、第二養生体２３を第三養生体４４とともに立ち上げ、次いで、第一養生体４２を立ち上げ、第一養生体４２と第二養生体２３のそれぞれに形成される図示しない締結孔に上述の締結部材を装着して第一養生体４２と第二養生体２３とを立ち上げた状態で保持することにより、図７に示すように養生枠を形成することができる。なお、図８及び図９に示す場合には、開口部養生装置１５は２つの第三養生体４４を有し、第二養生体２３のそれぞれに取り付けられているが、これらを第一養生体４２に取り付けるようにしても良い。また、養生体２３，４２により覆われない開口部１４の部分を１つの第三養生体により覆うようにしても良く、この場合には一対の第一養生体４２のいずれか一方、又は一対の第二養生体２３のいずれか一方に取り付けられることになる。これとは逆に、２つ以上の第三養生体により覆うようにしても良く、また、第三養生体の展開作業を容易にするためにトーションバーを取り付けるようにしても良い。第三養生体の展開手段としては、ヒンジ金具４３を用いて回転自在とするのではなく、ガイドレールを設けて第二養生体２３に対して平行にスライドさせるようにしても良い。
【００３３】
本発明は前記実施の形態に限定されるものではなく、その要旨を逸脱しない範囲で種々変更可能である。
【図面の簡単な説明】
【００３４】
【図１】建造中の建物の開口部に本発明の一実施の形態である開口部養生装置を取り付けた状態を示す一部断面図である。
【図２】本発明の一実施の形態である開口部養生装置の外観構成を示す斜視図であり、特に、養生枠を形成した状態を示す。
【図３】一実施の形態である第一梁及び第二梁を示す拡大斜視図である。
【図４】図２に示す開口部養生装置により養生床を形成した状態を示す斜視図である。
【図５】（Ａ）は図２に示すＡ−Ａ線に沿う方向の断面図であり、（Ｂ）は図４に示すＢ−Ｂ線に沿う方向の断面図である。
【図６】一実施の形態である養生体を示す拡大斜視図である。
【図７】本発明の他の実施の形態である開口部養生装置の外観構成を示す斜視図であり、特に養生枠を形成した状態を示す。
【図８】図７に示す開口部養生装置により養生床を形成した状態を示す斜視図である。
【符号の説明】
【００３５】
１０  建物
１０ａ〜１０ｄ  フロア
１１  床スラブ
１２  型枠
１３  支持部材
１４  開口部
１５  開口部養生装置
１６  方形枠
１６ａ  方形枠
１７  第一梁
１７ａ  垂直部
１７ｂ  水平部
１８  第二梁
１８ａ  垂直部
１８ｂ  水平部
１９  連結部材
１９ａ  固定孔
２０  ずれ止め防止部材
２１  支持腕
２２  第一養生体
２３  第二養生体
２４  枠体
２４ａ  縦材
２４ｂ  横材
２５  枠体
２５ａ  縦材
２５ｂ  横材
２６，２７  エキスパンドメタル
２８  ヒンジ金具
２９  位置調節部材
３０  ヒンジ金具
３２  ワイヤ
３３  トーションバー
３４  養生体
３５  主枠体
３５ａ  縦材
３５ｂ  横材
３６  副枠体
３６ａ  縦材
３６ｂ  横材
３７  エキスパンドメタル
４０  開口部養生装置
４１  第一梁
４２  第一養生体
４３  ヒンジ金具
４４  第三養生体
４５  枠体
４５ａ  縦材
４５ｂ  横材
４６  エキスパンドメタル
【図１】
2006226059.tif 000003
【図２】
2006226059.tif 000004
【図３】
2006226059.tif 000005
【図４】
2006226059.tif 000006
【図５】
2006226059.tif 000007
【図６】
2006226059.tif 000008
【図７】
2006226059.tif 000009
【図８】
2006226059.tif 000010